(57)【特許請求の範囲】
【請求項１】
表示器に各種情報を表示するようにした情報提供装置において、
近距離無線送信機能を備える携帯端末との間で無線による情報の送受信を可能とする無線モジュールと、
前記携帯端末と前記無線モジュールとが無線接続されているかどうかを判定する手段と、
前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、
前記無線モジュールを介して取り込まれた前記携帯端末から送信された送信コマンドに表示器利用コマンドが含まれているかどうかを判定する判定手段と、
前記判定手段が前記携帯端末から送信された送信コマンドに表示器利用コマンドが含まれていると判定した場合、その表示器利用コマンドを送信した前記携帯端末から前記表示器を制御できるようにする使用権貸与手段と、
を具備することを特徴とする情報提供装置。
【請求項２】
インターネットに接続してインターネット上のウェブページをブラウズするインターネット手段を具備し、
前記判定手段は、前記無線モジュールを介して取り込まれた前記携帯端末から送信された送信コマンドにインターネット利用コマンドが含まれているかどうかを判定し、
前記使用権貸与手段は、前記判定手段が前記携帯端末から送信された送信コマンドにインターネット利用コマンドが含まれていると判定した場合、そのインターネット利用コマンドを送信した前記携帯端末から前記インターネット手段を制御できるようにした、
ことを特徴とする請求項１記載の情報提供装置。
【請求項３】
前記使用権貸与手段による前記表示器の貸与中、所定の情報を前記表示器に強制的に表示させる強制表示手段を具備することを特徴とする請求項１又は２記載の情報提供装置。
【請求項４】
客面表示器に顧客が購入する商品についての販売データを表示し、購入が確定した商品についての前記販売データを処理するようにした商品販売データ処理装置において、
近距離無線送信機能を備える携帯端末との間で無線による情報の送受信を可能とする無線モジュールと、
前記携帯端末と前記無線モジュールとが無線接続されているかどうかを判定する手段と、
前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、
前記無線モジュールを介して取り込まれた前記携帯端末から送信された送信コマンドに表示器利用コマンドが含まれているかどうかを判定する判定手段と、
前記判定手段が前記携帯端末から送信された送信コマンドに表示器利用コマンドが含まれていると判定した場合、その表示器利用コマンドを送信した前記携帯端末から前記客面表示器を制御できるようにする使用権貸与手段と、
を具備することを特徴とする商品販売データ処理装置。
【請求項５】
インターネットに接続してインターネット上のウェブページをブラウズするインターネット手段を具備し、
前記判定手段は、前記無線モジュールを介して取り込まれた前記携帯端末から送信された送信コマンドにインターネット利用コマンドが含まれているかどうかを判定し、
前記使用権貸与手段は、前記判定手段が前記携帯端末から送信された送信コマンドにインターネット利用コマンドが含まれていると判定した場合、そのインターネット利用コマンドを送信した前記携帯端末から前記インターネット手段を制御できるようにした、
ことを特徴とする請求項４記載の商品販売データ処理装置。
【請求項６】
前記使用権貸与手段による前記客面表示器の貸与中、所定の情報を前記客面表示器に強制的に表示させる強制表示手段を具備することを特徴とする請求項４又は５記載の商品販売データ処理装置。
【請求項７】
近距離無線送信機能を備える携帯端末との間で無線による情報の送受信を可能とする無線モジュールを具備し、表示器に各種情報を表示するようにした情報提供装置にインストールされ、この情報提供装置に、
前記携帯端末と前記無線モジュールとが無線接続されているかどうかを判定する手段と、
前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、
前記無線モジュールを介して取り込まれた前記携帯端末から送信された送信コマンドに表示器利用コマンドが含まれているかどうかを判定する判定手段と、
前記判定手段が前記携帯端末から送信された送信コマンドに表示器利用コマンドが含まれていると判定した場合、その表示器利用コマンドを送信した前記携帯端末から前記表示器を制御できるようにする使用権貸与手段と、
を実行させるコンピュータプログラムを記憶する記憶媒体。
【請求項８】
客面表示器に顧客が購入する商品についての販売データを表示し、購入が確定した商品についての前記販売データを処理するようにした商品販売データ処理装置にインストールされ、この商品販売データ処理装置に、
近距離無線送信機能を備える携帯端末との間で無線による情報の送受信を可能とする無線モジュールと、
前記携帯端末と前記無線モジュールとが無線接続されているかどうかを判定する手段と、
前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、
前記無線モジュールを介して取り込まれた前記携帯端末から送信された送信コマンドに表示器利用コマンドが含まれているかどうかを判定する判定手段と、
前記判定手段が前記携帯端末から送信された送信コマンドに表示器利用コマンドが含まれていると判定した場合、その表示器利用コマンドを送信した前記携帯端末から前記客面表示器を制御できるようにする使用権貸与手段と、
を実行させるコンピュータプログラムを記憶する記憶媒体。
【請求項９】
近距離無線送信機能を備える携帯端末との間で無線による情報の送受信を可能とする無線モジュールを具備し、表示器に各種情報を表示するようにしたコンピュータ構成の情報提供装置にインストールされ、この情報提供装置に、
前記携帯端末と前記無線モジュールとが無線接続されているかどうかを判定する手段と、
前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、
前記無線モジュールを介して取り込まれた前記携帯端末から送信された送信コマンドに表示器利用コマンドが含まれているかどうかを判定する判定手段と、
前記判定手段が前記携帯端末から送信された送信コマンドに表示器利用コマンドが含まれていると判定した場合、その表示器利用コマンドを送信した前記携帯端末から前記表示器を制御できるようにする使用権貸与手段と、
を実行させるコンピュータプログラム。
【請求項１０】
客面表示器に顧客が購入する商品についての販売データを表示し、購入が確定した商品についての前記販売データを処理するようにした商品販売データ処理装置にインストールされ、この商品販売データ処理装置に、
近距離無線送信機能を備える携帯端末との間で無線による情報の送受信を可能とする無線モジュールと、
前記携帯端末と前記無線モジュールとが無線接続されているかどうかを判定する手段と、
前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、
前記無線モジュールを介して取り込まれた前記携帯端末から送信された送信コマンドに表示器利用コマンドが含まれているかどうかを判定する判定手段と、
前記判定手段が前記携帯端末から送信された送信コマンドに表示器利用コマンドが含まれていると判定した場合、その表示器利用コマンドを送信した前記携帯端末から前記客面表示器を制御できるようにする使用権貸与手段と、
を実行させるコンピュータプログラム。
【発明の詳細な説明】
【０００１】
【発明の属する技術分野】
本発明は、表示器に各種情報を表示するようにした情報提供装置、客面表示器を備える商品販売データ処理装置、コンピュータプログラムを格納する記憶媒体及びコンピュータプログラムに関する。
【０００２】
【従来の技術】
ＥＣＲやＰＯＳ端末等の商品販売データ処理装置は、一般的に、客面表示器を備え、顧客が購入する商品についての商品販売データ処理時には、客面表示器に顧客が購入する商品についての販売データを表示するようにしている。
【０００３】
このような客面表示器は、近年、液晶ディスプレイの採用等によって、大画面化する傾向にある。このため、客面表示器の表示内容はより見易くなっている。また、大画面化の利点を生かし、客面表示器を利用してコマーシャルを流すようなことも行なわれるようになってきている。
【０００４】
また、近年、例えばコンビニエンスストア等では、表示器を備え、表示器に各種の情報を表示して顧客に提供するようにした情報提供装置が設置されることも多くなってきている。このような情報提供装置は、顧客の操作に応じて顧客に商品情報やイベント情報等のような広範囲な情報を提供する。
【０００５】
【発明が解決しようとする課題】
顧客側から見た場合、店舗に設置されているＥＣＲやＰＯＳ端末等の商品販売データ処理装置、あるいは情報提供装置から発信される情報は、決済データや店舗側で一方的に選択したような情報（例えばコマーシャルやニュース等）のみである。このような情報は、店舗側からすれば販売促進情報として有意義であるが、顧客側からすると、一方通行の情報でしかない。
【０００６】
本発明の目的は、顧客にとってより魅力的な情報提供装置や商品販売データ処理装置の利用を顧客に提供し、それらの機器が設置されている店舗の集客力を向上させることである。
【０００７】
【課題を解決するための手段】
請求項１記載の発明は、表示器に各種情報を表示するようにした情報提供装置において、近距離無線送信機能を備える携帯端末との間で無線による情報の送受信を可能とする無線モジュールと、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記表示器を制御できるようにする使用権貸与手段と、を具備する。
【０００８】
したがって、無線による情報の送受信を行なうことで、携帯端末に表示器の使用権が貸与される。そこで、携帯端末の使用者は、携帯端末を操作することで、情報提供装置の表示器に所望の情報を表示させることができる。
【０００９】
請求項２記載の発明は、請求項１記載の情報提供装置において、インターネットに接続してインターネット上のウェブページをブラウズするインターネット手段を具備し、前記判定手段は、前記無線モジュールを介して取り込まれた前記携帯端末から送信された送信コマンドにインターネット利用コマンドが含まれているかどうかを判定し、前記使用権貸与手段は、前記判定手段が前記携帯端末から送信された送信コマンドにインターネット利用コマンドが含まれていると判定した場合、そのインターネット利用コマンドを送信した前記携帯端末から前記インターネット手段を制御できるようにした。
【００１０】
したがって、無線による情報の送受信を行なうことで、携帯端末にインターネット手段の使用権が貸与される。そこで、携帯端末の使用者は、携帯端末を操作することで、情報提供装置の表示器にインターネット上の所望のウェブページを表示させることができる。
【００１１】
請求項３記載の発明は、請求項１又は２記載の情報提供装置において、前記使用権貸与手段による前記表示器の貸与中、所定の情報を前記表示器に強制的に表示させる強制表示手段を具備する。
【００１２】
したがって、携帯端末の使用者が表示器に所望の画像を出力させている場合であっても、強制表示手段によれば、表示器に強制的に所定の情報を表示させることが可能である。
【００１３】
請求項４記載の発明は、客面表示器に顧客が購入する商品についての販売データを表示し、購入が確定した商品についての前記販売データを処理するようにした商品販売データ処理装置において、近距離無線送信機能を備える携帯端末との間で無線による情報の送受信を可能とする無線モジュールと、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記客面表示器を制御できるようにする使用権貸与手段と、を具備する。
【００１４】
したがって、無線による情報の送受信を行なうことで、携帯端末に客面表示器の使用権が貸与される。そこで、携帯端末の使用者は、携帯端末を操作することで、商品販売データ処理装置の客面表示器に所望の情報を表示させることができる。
【００１５】
請求項５記載の発明は、請求項４記載の商品販売データ処理装置において、インターネットに接続してインターネット上のウェブページをブラウズするインターネット手段を具備し、前記判定手段は、前記無線モジュールを介して取り込まれた前記携帯端末から送信された送信コマンドにインターネット利用コマンドが含まれているかどうかを判定し、前記使用権貸与手段は、前記判定手段が前記携帯端末から送信された送信コマンドにインターネット利用コマンドが含まれていると判定した場合、そのインターネット利用コマンドを送信した前記携帯端末から前記インターネット手段を制御できるようにした。
【００１６】
したがって、無線による情報の送受信を行なうことで、携帯端末にインターネット手段の使用権が貸与される。そこで、携帯端末の使用者は、携帯端末を操作することで、商品販売データ処理装置の客面表示器にインターネット上の所望のウェブページを表示させることができる。
【００１７】
請求項６記載の発明は、請求項４又は５記載の商品販売データ処理装置において、前記使用権貸与手段による前記客面表示器の貸与中、所定の情報を前記客面表示器に強制的に表示させる強制表示手段を具備する。
【００１８】
したがって、携帯端末の使用者が表示器に所望の画像を出力させている場合であっても、強制表示手段によれば、客面表示器に強制的に所定の情報を表示させることが可能である。
【００１９】
請求項７記載の発明は、近距離無線送信機能を備える携帯端末との間で無線による情報の送受信を可能とする無線モジュールを具備し、表示器に各種情報を表示するようにした情報提供装置にインストールされ、この情報提供装置に、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記表示器を制御できるようにする使用権貸与手段と、を実行させるコンピュータプログラムを記憶する記憶媒体である。
【００２０】
したがって、無線による情報の送受信を行なうことで、携帯端末に表示器の使用権が貸与される。そこで、携帯端末の使用者は、携帯端末を操作することで、情報提供装置の表示器に所望の情報を表示させることができる。
【００２１】
請求項８記載の発明は、客面表示器に顧客が購入する商品についての販売データを表示し、購入が確定した商品についての前記販売データを処理するようにした商品販売データ処理装置にインストールされ、この商品販売データ処理装置に、近距離無線送信機能を備える携帯端末との間で無線による情報の送受信を可能とする無線モジュールと、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記客面表示器を制御できるようにする使用権貸与手段と、を実行させるコンピュータプログラムを記憶する記憶媒体である。
【００２２】
したがって、無線による情報の送受信を行なうことで、携帯端末に客面表示器の使用権が貸与される。そこで、携帯端末の使用者は、携帯端末を操作することで、商品販売データ処理装置の客面表示器に所望の情報を表示させることができる。
【００２３】
請求項９記載の発明は、近距離無線送信機能を備える携帯端末との間で無線による情報の送受信を可能とする無線モジュールを具備し、表示器に各種情報を表示するようにしたコンピュータ構成の情報提供装置にインストールされ、この情報提供装置に、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記表示器を制御できるようにする使用権貸与手段と、を実行させるコンピュータプログラムである。
【００２４】
したがって、無線による情報の送受信を行なうことで、携帯端末に表示器の使用権が貸与される。そこで、携帯端末の使用者は、携帯端末を操作することで、情報提供装置の表示器に所望の情報を表示させることができる。
【００２５】
請求項１０記載の発明は、客面表示器に顧客が購入する商品についての販売データを表示し、購入が確定した商品についての前記販売データを処理するようにした商品販売データ処理装置にインストールされ、この商品販売データ処理装置に、近距離無線送信機能を備える携帯端末との間で無線による情報の送受信を可能とする無線モジュールと、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記客面表示器を制御できるようにする使用権貸与手段と、を実行させるコンピュータプログラムである。
【００２６】
したがって、無線による情報の送受信を行なうことで、携帯端末に客面表示器の使用権が貸与される。そこで、携帯端末の使用者は、携帯端末を操作することで、商品販売データ処理装置の客面表示器に所望の情報を表示させることができる。
【００２７】
【発明の実施の形態】
本発明の実施の一形態を図１ないし図４に基づいて説明する。
【００２８】
本実施の形態は、商品販売データ処理装置としてＰＯＳ端末１０１への適用例を示し、携帯端末として携帯電話２０１への適用例を示す。
【００２９】
また、ＰＯＳ端末１０１は、商品販売データ処理装置の一例であるが、情報提供端末としても機能する。情報提供端末は、一般的にはＰＯＳ端末１０１と別個の機器によって構築され、店舗内に設置されるのが一般的であるが、ＰＯＳ端末１０１としての構築を妨げるわけではない。
【００３０】
図１は、ＰＯＳ端末１０１と携帯電話２０１とを含む全体のシステム構成を示す斜視図である。ドロワ１５１に載置されたＰＯＳ端末１０１は、その背面である客側面に表示器である客面表示器１０２を備えている。この客面表示器１０２は、液晶表示装置によって構成されたフラットパネルである。携帯電話２０１は、その基本的な外観構成として、特殊性を有しておらず、ディスプレイ２０２、コマンドキー２０３およびテンキー２０４を備えている。
【００３１】
図１に外観を示すＰＯＳ端末１０１及び携帯電話２０１は、共に、共通の規格下にある無線通信機能を備えている。このような無線通信機能の規格としては、例えばブルートゥースが採用されている。もっとも、ＰＯＳ端末１０１及び携帯電話２０１の無線通信機能として、他の規格等を採用しても良い。
【００３２】
図２は、ＰＯＳ端末１０１のハードウェア構成を示すブロック図である。ＰＯＳ端末１０１は、その概略構成として、各種演算処理を実行して各部を集中的に制御するＣＰＵ１０３に、固定データを格納するＲＯＭ１０４、可変データを書き替え自在に格納するＲＡＭ１０５、各種表示デバイス１０６、各種入力デバイス１０７、記憶装置１０８、インターフェース１０９、通信インターフェース１１０及び無線モジュール１１１がシステムバス１１２を介して接続された構成を有している。
【００３３】
ここで、表示デバイス１０６には、オペレータ用表示器１１３と、図１に外観を例示した客面表示器１０２とが含まれている。
【００３４】
記憶装置１０８としては、例えばハードディスクドライブが用いられる。このような記憶装置１０８には、オペレーティングシステム１１４（以下、ＯＳ１１４と略称する）の他、プログラム１１５及び各種ファイル１１６がインストールされている。これらのＯＳ１１４、プログラム１１５及び各種ファイル１１６は、例えば、通信インターフェース１１０に例えばＬＡＮを介して接続された図示しないストアコントローラ等の外部機器からインストールされる。こうしてインストールされたプログラム１１５として、本実施の形態のＰＯＳ端末１０１は、商品販売データ処理用のプログラムがインストールされている。この意味で、記憶装置１０８は、プログラム１１５を格納する記憶媒体として機能する。
【００３５】
そして、記憶装置１０８にインストールされたＯＳ１１４、プログラム１１５及び各種ファイル１１６は、ＰＯＳ端末１０１の起動時やプログラム１１５の起動時、その全部又は一部がＲＡＭ１０５にコピーされ、アクセス速度の高速度化が図られている。
【００３６】
ここで、ＰＯＳ端末１０１は、通信インターフェース１１０として、図示しないＬＡＮ環境に接続可能な構成と、電話会社１６１が提供する電話回線網１６２に接続可能な構成とを備えている。つまり、ＬＡＮ環境に接続可能な構成として図示しないネットワークカードを有しており、電話回線網１６２に接続可能な構成として図示しないモデムを有している。そして、ＯＳ１１４が含むプログラム又は専用のプログラム１１５が、ＬＡＮ環境への接続及び電話回線網１６２への接続を支援し、ＰＯＳ端末１０１は、ＬＡＮ環境においてはクライアントＰＣとして機能し、電話回線網１６２に接続した場合にはインターネット１７１への接続が可能となっている。この場合、電話回線網１６２としては、公衆回線線網を利用しても良いが、専用線を利用することが望ましい。そして、ここでいうインターネット１７１というのは、電話回線網１６２を介してアクセス可能な仮想空間を意味しており、このような仮想空間は、一般的には、ウェブページという例えばＨＴＭＬ言語によって記述されたファイルによって構築されている。
【００３７】
さらに、ＰＯＳ端末１０１の記憶装置１０８には、プログラム１１５として、インターネット１７１上に提供されるウェブページをブラウズする機能を備えたブラウジングソフトウェアがインストールされている。
【００３８】
こうして、ＰＯＳ端末１０１は、インターネット１７１に接続してそのウェブページをブラウズするインターネット手段の機能を実行することができるアーキテクチャを具備することになる。
【００３９】
本実施の形態のＰＯＳ端末１０１は、記憶装置１０８に格納されてＰＯＳ端末１０１の起動時にその全部又は一部がＲＡＭ１０５にコピーされるプログラム１１５に従ったＣＰＵ１０３の制御により、商品販売データ処理を実行する。つまり、一例として、入力デバイス１０７より入力された商品コード、この商品コードに基づいて検索された単価情報及び数量情報をＲＡＭ１０５のキャッシュエリアに一時記憶して小計計算を行ない、入力デバイス１０７からの締め入力によってＲＡＭ１０５のキャッシュエリアに一時記憶しているその取引についての取引情報を各種ファイル１１６に含まれている図示しない売上登録ファイルに登録する、というような処理が実行される。もっとも、このような処理は商品販売データ処理の一例であり、実施に際して、別の処理手法が採用されることを妨げるものではない。
【００４０】
ＰＯＳ端末１０１は、その客面表示器１０２を用いて、情報提供端末としても機能する。情報提供端末としての機能の一例として、図示しないＬＡＮ回線よって上位機から配信されるコマーシャル画像を客面表示器１０２に表示する。
【００４１】
図３は、ＰＯＳ端末１０１による処理内容の一例を示すフローチャートである。前述したように、本実施の形態のＰＯＳ端末１０１は、例えばブルートゥース規格の携帯電話２０１との間で、無線通信機能を有している。このような無線通信機能は、無線モジュール１１１によって実現している。図３は、このようなＰＯＳ端末１０１が持つ無線通信機能を利用し、記憶装置１０８に格納されてＰＯＳ端末１０１の起動時にその全部又は一部がＲＡＭ１０５にコピーされるプログラム１１５に従ったＣＰＵ１０３の制御により実行される処理の一例を示している。
【００４２】
まず、ＰＯＳ端末１０１は、無線接続の有無判定に待機している（ステップＳ１０１）。本実施の形態では、ブルートゥース規格が採用されているため、ブルートゥース規格の携帯電話２０１がＰＯＳ端末１０１に近づくと、無線モジュール１１１は自動的にその携帯電話２０１と無線接続を開始する。プログラム１１５は、予め定められた周期で、このような無線接続の有無の判定に待機している（ステップＳ１０１）。
【００４３】
無線接続ありと判定された場合（ステップＳ１０１のＹ）、無線接続情報をＲＡＭ１０５のキャッシュエリアに一時記憶する（ステップＳ１０３）。この場合の無線接続情報は、一例として、無線接続された携帯電話２０１を特定する情報である。これに対して、一旦無線接続された携帯電話２０１について、もはや無線接続がないと判定された場合には（ステップＳ１０１のＮ）、そのようなＲＡＭ１０５のキャッシュエリアにその一旦一時記憶されたその携帯電話２０１についての無線接続情報をクリアした上で（ステップＳ１０２）、無線接続の有無の判定に待機する（ステップＳ１０１）。初めから無線接続がない場合には、クリアすべき無線接続情報がないため、キャッシュエリアクリアの処理（ステップＳ１０２）を実行することなく、無線接続の有無の判定に待機する（ステップＳ１０１）。
【００４４】
次いで、無線接続ありと判定し（ステップＳ１０１のＹ）、無線接続情報をＲＡＭ１０５のキャッシュエリアに一時記憶した場合（ステップＳ１０３）、無線モジュール１１１による無線送信機能を利用して、その無線接続された携帯電話２０１に向けて操作指示としてのインストラクションを送信する（ステップＳ１０４）。このインストラクションは、携帯電話２０１の無線送信機能によって実行可能な項目のリストと、そのような各項目を実行する場合のコマンド操作内容とを対応付けて携帯電話２０１のディスプレイ２０２に表示される。そこで、携帯電話２０１の操作者は、そのインストラクションに従い、所望の操作をすることになる。
【００４５】
ここで、プログラム１１５は、各コマンドと携帯電話２０１の操作によって携帯電話２０１から送信される信号とを対応付けた各種ファイル１１６内のファイルを参照し、インストラクションを作成する。この場合の携帯電話２０１から送信される信号は、例えば、テンキー２０４に含まれる置数キー、アスタリスクキー、シャープキーの操作によって携帯電話２０１から送信される信号や、コマンドキー２０３の操作によって携帯電話２０１から送信される信号等、携帯電話２０１の一般的な操作によって通常発信される信号を意味している。したがって、プログラム１１５は、携帯電話２０１の一般的な操作によって通常発信される信号にプログラム１１５によって実行される処理の実行を命令するためのコマンドを割り付けていることになる。
【００４６】
インストラクションの送信（ステップＳ１０４）に続く処理として、ＰＯＳ端末１０１は、コマンド受信の有無判定に待機する（ステップＳ１０５）。そして、携帯電話２０１の操作者がステップＳ１０４の処理によって携帯電話２０１に送信されるインストラクションに従いコマンドを無線送信する操作を行なった場合、ＰＯＳ端末１０１はコマンド受信があったと判定し（ステップＳ１０５のＹ）、各コマンドと携帯電話２０１の操作によって携帯電話２０１から送信される信号とを対応付けた各種ファイル１１６内のファイルを参照して、その種類を判断する（ステップＳ１０６、１０８、１１０）。
【００４７】
ここに、無線モジュール１１１を介して取り込まれた携帯端末２０１から送信された送信コマンドに表示器利用コマンドが含まれているか（ステップＳ１０８）、あるいはインターネットコマンドが含まれているかどうか（ステップＳ１１０）を判定する判定手段の機能が実行される。
【００４８】
携帯電話２０１から送信されたコマンドが商品購入コマンドである場合には（ステップＳ１０６のＹ）、商品購入処理が実行される（ステップＳ１０７）。この処理は、例えば、自動販売機の前で携帯電話２０１の操作者が商品の購入動作を実行するような場合になされる。
【００４９】
これに対して、携帯電話２０１から送信されたコマンドが表示器利用コマンドである場合には（ステップＳ１０８のＹ）、これに対応する処理が実行される（ステップＳ１０９）。つまり、ＰＯＳ端末１０１のＣＰＵ１０３は、無線モジュール１１１を介して携帯電話２０１から無線送信される携帯電話２０１のディスプレイ２０２に表示されるべき情報をＲＡＭ１０５という概念で包括されている図示しない画像メモリに展開し、この画像メモリに展開された画像情報に従い表示デバイス１０６中の客面表示器１０２を駆動制御する図示しないコントローラを駆動制御する。これにより、本来は携帯電話２０１のディスプレイ２０２に表示されるべき情報がＰＯＳ端末１０１の客面表示器１０２に表示されることになる。ここに、使用権貸与手段の機能が実行される。
【００５０】
ここで、客面表示器１０２に携帯電話２０１が表示させる情報としては、携帯電話２０１自体が記憶保存している各種の情報の場合も想定されるが、本実施の形態では、携帯電話２０１がそのウェブページブラウズ機能によってインターネット等のような仮想空間から獲得した情報を客面表示器１０２に表示させることが可能である。これにより、携帯電話２０１のディスプレイ２０２による表示では内容がわかりにくかったり、大画面でブラウズすることが好適であったりする情報を客面表示器１０２に大きく表示させることが可能となる。
【００５１】
これに対して、携帯電話２０１から送信されたコマンドがインターネット利用コマンドである場合には（ステップＳ１１０のＹ）、これに対応する処理が実行される（ステップＳ１０９）。つまり、ＰＯＳ端末１０１のＣＰＵ１０３は、無線モジュール１１１を介して携帯電話２０１から無線送信されるコマンドやＵＲＬ情報に応じ、電話回線網１６２を利用してインターネット１７１にＰＯＳ端末１０１を接続させる。これにより、携帯電話２０１から送信されたＵＲＬが指定するウェブページに接続され、その内容が客面表示器１０２に表示されることになる。そして、ＣＰＵ１０３は、こうして客面表示器１０２に表示されたウェブページの切替えやウェブページ上での操作を携帯電話２０１からのコマンドに応じて実行することになる。ここに、使用権貸与手段の機能が実行される。
【００５２】
ここで、本実施の形態では、客面表示器１０２にウェブページを表示させるための手法として、携帯電話２０１が自ら備えるウェブ接続機能を用い手法と、ＰＯＳ端末１０１が備えるインターネット手段を携帯電話２０１に実行させる手法との２通りが選択可能である。携帯電話２０１の操作者は、いずれの手法でウェプページを客面表示器１０２に表示させるかを選択することができる。
【００５３】
なお、携帯電話２０１から送信されたコマンドが商品購入コマンドでなく（ステップＳ１０７のＮ）、表示器利用コマンドでなく（ステップＳ１０８のＮ）、インターネット利用コマンドでもない（ステップＳ１１０のＮ）場合には、その他のコマンドであるので、そのコマンドに応じた処理が実行される（ステップＳ１１１）。
【００５４】
いずれにしても、本実施の形態によれば、携帯電話２０１にＰＯＳ端末１０１の客面表示器１０２の使用権やインターネット手段の使用権が貸与されることになる。これにより、携帯電話２０１の使用者は、客面表示器１０２に所望情報を表示させたり、所望のウェブページのブラウズを行なわせたりすることができ、ＰＯＳ端末１０１が設置されている店舗の集客力の向上に結び付く。
【００５５】
図４は、ＰＯＳ端末１０１による強制表示処理の内容を示すフローチャートである。ＰＯＳ端末１０１は、携帯電話２０１から表示器利用コマンド又はインターネット利用コマンドを受信し（ステップＳ１０８のＹ、１１０のＹ）、対応する処理を実行している最中（ステップＳ１０９）、強制表示コマンドの受信に待機している（ステップＳ２０１）。この処理は、規定のタイミング毎に実行される。ここでの強制表示コマンドは、例えばプログラム１１５に従いＣＰＵ１０３が自ら生成したり、あるいは、通信インターフェース１１０を介して図示しないＬＡＮ回線を経由して外部機器から受信したりするコマンドである。
【００５６】
強制表示コマンドを受信した場合（ステップＳ２０１のＹ）、ＣＰＵ１０３は、客面表示器１０２に対して割り込み表示処理を実行する（ステップＳ２０２）。ここでの割り込み表示は、例えば、ＰＯＳ端末１０１が設置されている店舗のお買い得商品情報であったり、その他のコマーシャルであったりする。いずれにしても、このような割り込み表示は、携帯電話２０１の使用者が所望して客面表示器１０２に表示している表示内容を妨げないような表示であることが望ましい。ここに、強制表示手段の機能が実行される。
【００５７】
このように、本実施の形態では、携帯電話２０１の使用者が客面表示器１０２に所望の画像を出力させている場合であっても、客面表示器１０２に強制的に所定の情報、例えば特定商品やサービスのコマーシャル等のような店舗側が顧客に提供したい情報を表示させることができる。これにより、顧客にはその者が所望する情報を能動的に提供することで顧客満足を与えながら、店舗側が所望する情報も同時に顧客に提供することで、各種商品の販売促進を図ることができる。
【００５８】
【発明の効果】
請求項１記載の発明は、表示器に各種情報を表示するようにした情報提供装置において、近距離無線送信機能を備える携帯端末との間で無線による情報の送受信を可能とする無線モジュールと、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記表示器を制御できるようにする使用権貸与手段と、を具備するので、携帯端末に表示器の使用権を貸与し、携帯端末の使用者に情報提供装置の表示器への所望情報の表示を行なわせることができ、これにより、情報提供端末が設置されている店舗の集客力を向上させることができる。
【００５９】
請求項２記載の発明は、請求項１記載の情報提供装置において、インターネットに接続してインターネット上のウェブページをブラウズするインターネット手段を具備し、前記判定手段は、前記無線モジュールを介して取り込まれた前記携帯端末から送信された送信コマンドにインターネット利用コマンドが含まれているかどうかを判定し、前記使用権貸与手段は、前記判定手段が前記携帯端末から送信された送信コマンドにインターネット利用コマンドが含まれていると判定した場合、そのインターネット利用コマンドを送信した前記携帯端末から前記インターネット手段を制御できるようにしたので、携帯端末にインターネット手段の使用権を貸与し、携帯端末の使用者に情報提供装置の表示器を利用した所望のウェブページのブラウズを行なわせることができ、これにより、情報提供端末が設置されている店舗の集客力を向上させることができる。
【００６０】
請求項３記載の発明は、請求項１又は２記載の情報提供装置において、前記使用権貸与手段による前記表示器の貸与中、所定の情報を前記表示器に強制的に表示させる強制表示手段を具備するので、携帯端末の使用者が表示器に所望の画像を出力させている場合であっても、表示器に強制的に所定の情報、例えば特定商品やサービスのコマーシャル等のような店舗側が顧客に提供したい情報を表示させることができ、したがって、顧客にはその者が所望する情報を能動的に提供することで顧客満足を与えながら、店舗側が所望する情報も同時に顧客に提供することで、各種商品の販売促進を図ることができる。
【００６１】
請求項４記載の発明は、客面表示器に顧客が購入する商品についての販売データを表示し、購入が確定した商品についての前記販売データを処理するようにした商品販売データ処理装置において、近距離無線送信機能を備える携帯端末との間で無線による情報の送受信を可能とする無線モジュールと、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記客面表示器を制御できるようにする使用権貸与手段と、を具備するので、携帯端末に客面表示器の使用権を貸与し、携帯端末の使用者に商品販売データ処理装置の客面表示器への所望情報の表示を行なわせることができ、これにより、商品販売データ処理装置が設置されている店舗の集客力を向上させることができる。
【００６２】
請求項５記載の発明は、請求項４記載の商品販売データ処理装置において、インターネットに接続してインターネット上のウェブページをブラウズするインターネット手段を具備し、前記判定手段は、前記無線モジュールを介して取り込まれた前記携帯端末から送信された送信コマンドにインターネット利用コマンドが含まれているかどうかを判定し、前記使用権貸与手段は、前記判定手段が前記携帯端末から送信された送信コマンドにインターネット利用コマンドが含まれていると判定した場合、そのインターネット利用コマンドを送信した前記携帯端末から前記インターネット手段を制御できるようにしたので、携帯端末にインターネット手段の使用権を貸与し、携帯端末の使用者に情報提供装置の表示器を利用した所望のウェブページのブラウズを行なわせることができ、これにより、情報提供端末が設置されている店舗の集客力を向上させることができる。
【００６３】
請求項６記載の発明は、請求項４又は５記載の商品販売データ処理装置において、前記使用権貸与手段による前記客面表示器の貸与中、所定の情報を前記客面表示器に強制的に表示させる強制表示手段を具備するので、携帯電話の使用者が客面表示器に所望の画像を出力させている場合であっても、客面表示器に強制的に所定の情報、例えば特定商品やサービスのコマーシャル等のような店舗側が顧客に提供したい情報を表示させることができ、したがって、顧客にはその者が所望する情報を能動的に提供することで顧客満足を与えながら、店舗側が所望する情報も同時に顧客に提供することで、各種商品の販売促進を図ることができる。
【００６４】
請求項７記載の発明は、近距離無線送信機能を備える携帯端末との間で無線による情報の送受信を可能とする無線モジュールを具備し、表示器に各種情報を表示するようにした情報提供装置にインストールされ、この情報提供装置に、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記表示器を制御できるようにする使用権貸与手段と、を実行させるコンピュータプログラムを記憶する記憶媒体であるので、携帯端末に表示器の使用権を貸与し、携帯端末の使用者に情報提供装置の表示器への所望情報の表示を行なわせることができ、これにより、情報提供端末が設置されている店舗の集客力を向上させることができる。
【００６５】
請求項８記載の発明は、客面表示器に顧客が購入する商品についての販売データを表示し、購入が確定した商品についての前記販売データを処理するようにした商品販売データ処理装置にインストールされ、この商品販売データ処理装置に、近距離無線送信機能を備える携帯端末との間で無線による情報の送受信を可能とする無線モジュールと、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記客面表示器を制御できるようにする使用権貸与手段と、を実行させるコンピュータプログラムを記憶する記憶媒体であるので、携帯端末に客面表示器の使用権を貸与し、携帯端末の使用者に商品販売データ処理装置の客面表示器への所望情報の表示を行なわせることができ、これにより、商品販売データ処理装置が設置されている店舗の集客力を向上させることができる。
【００６６】
請求項９記載の発明は、近距離無線送信機能を備える携帯端末との間で無線による情報の送受信を可能とする無線モジュールを具備し、表示器に各種情報を表示するようにしたコンピュータ構成の情報提供装置にインストールされ、この情報提供装置に、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記表示器を制御できるようにする使用権貸与手段と、を実行させるコンピュータプログラムであるので、携帯端末に表示器の使用権を貸与し、携帯端末の使用者に情報提供装置の表示器への所望情報の表示を行なわせることができ、これにより、情報提供端末が設置されている店舗の集客力を向上させることができる。
【００６７】
請求項１０記載の発明は、客面表示器に顧客が購入する商品についての販売データを表示し、購入が確定した商品についての前記販売データを処理するようにした商品販売データ処理装置にインストールされ、この商品販売データ処理装置に、近距離無線送信機能を備える携帯端末との間で無線による情報の送受信を可能とする無線モジュールと、前記携帯端末と前記無線モジュールとが無線接続されているかどうかを判定する手段と、前記携帯端末と前記無線モジュールとが無線接続されていると判定した場合、当該携帯端末の近距離無線送信機能によって実行可能な前記表示器を制御する操作内容を表した項目のリストと当該各項目を実行する場合のコマンド操作内容とにより構成されるインストラクションを当該携帯端末に送信する手段と、前記無線モジュールを介して取り込まれた前記携帯端末から送信された送信コマンドに表示器利用コマンドが含まれているかどうかを判定する判定手段と、前記判定手段が前記携帯端末から送信された送信コマンドに表示器利用コマンドが含まれていると判定した場合、その表示器利用コマンドを送信した前記携帯端末から前記客面表示器を制御できるようにする使用権貸与手段と、を実行させるコンピュータプログラムであるので、携帯端末に客面表示器の使用権を貸与し、携帯端末の使用者に商品販売データ処理装置の客面表示器への所望情報の表示を行なわせることができ、これにより、商品販売データ処理装置が設置されている店舗の集客力を向上させることができる。
【図面の簡単な説明】
【図１】本発明の実施の一形態として、商品販売データ処理装置（ＰＯＳ端末）と携帯端末（携帯電話）とを含む全体のシステム構成を示す模式図である。
【図２】商品販売データ処理装置（ＰＯＳ端末）のハードウェア構成を示すブロック図である。
【図３】商品販売データ処理装置（ＰＯＳ端末）による形態端末（携帯電話）から無線送信されたコマンドに応じた処理内容を示すフローチャートである。
【図４】商品販売データ処理装置（ＰＯＳ端末）による強制表示処理の内容を示すフローチャートである。
【符号の説明】
１０１        情報提供装置、商品販売データ処理装置
１０２        表示器、客面表示器
１１１        無線モジュール
１７１        インターネット
２０１        携帯端末
Ｓ１０８、Ｓ１１０        判定手段
Ｓ１０９      使用権貸与手段
Ｓ２１１      強制表示手段
【図１】
0003905717.tif 000002
【図２】
0003905717.tif 000003
【図３】
0003905717.tif 000004
【図４】
0003905717.tif 000005